(57)【要約】【課題】本発明は、回転を目的とした構造物において動力源をエネルギーの消費を抑えつつ、大幅に増した電力を得ることを目的とし、初期に設定する発電機に動力源となるバッテリーの大小、本省力機関の数の組み合わせで増大した電力を、家庭、船舶、農業など幅広い分野に用いることができる装置若しくは方法を提供することを課題とするものである。【手段】本発明は、パンタグラフ様の菱形を変形した形状をなした変形菱形省力機関の屈伸運動を利用して、複数連結した変形菱形省力機関から機械的エネルギーを得て、動力源として使用するバッテリーの使用電力量以上の電力を発生させることを主な特徴とする。【選択図】  図１
2011236807.tif 000002
【特許請求の範囲】
【請求項１】
連結棒によって連結された複数の変形菱形省力機関と、
変形菱形省力機関に内絞り運動をさせる位置調整盤と、
位置調整盤を可動させるバッテリー及び回転モーターと、
変形菱形省力機関の内絞り運動による機械エネルギーから電力を発生させる発電モーターと、
変形菱形省力機関の内絞り運動による機械エネルギーを発電モーターに伝達する回転盤と、
発電モーターによる発生電力を利用対象に供給する使用電力線と、
発電モーターによる発生電力の一部をバッテリーに供給する還元電力線と、
から構成されることを特徴とする還元式発電増量装置。
【請求項２】
前記の変形菱形省力機関は、
直線状の２本の棒（上底棒、下底棒）と
中点にて屈伸可能に動く２本の屈曲した棒（屈伸棒）と
からなり、
上底棒及び下底棒の左右の端部を
屈伸棒によって菱形様に連結した
ことを特徴とする請求項１に記載の還元式発電増量装置。
【請求項３】
前記の変形菱形省力機関は、
上底棒及び下底棒の長さが３〜５ｃｍである
ことを特徴とする請求項１または請求項２に記載の還元式発電増量装置。
【請求項４】
前記の変形菱形省力機関は、
静止状態で
上底棒と下底棒の左側の端部（若しくは右側の端部）を結んだ直線と
左側の屈伸棒（若しくは右側の屈伸棒）の中点と端部を結んだ直線とによって作られる角度が
３２度である
ことを特徴とする請求項１から請求項３のいずれか一項に記載の還元式発電増量装置。
【請求項５】
前記の変形菱形省力機関は、
静止状態で
上底棒から下底棒までの距離が１７ｃｍであり、
屈伸棒の中点から上底棒または下底棒に連結する端部までの距離が各１０ｃｍであり、
屈伸棒の中天から上底棒と下底棒の左側の端部（若しくは右側の端部）を結んだ直線までの距離が５．５ｃｍである
ことを特徴とする請求項１から請求項４のいずれか一項に記載の還元式発電増量装置。
【請求項６】
前記の変形菱形省力機関は、
前記の各距離が１０のｎ乗の距離である
ことを特徴とする請求項５に記載の還元式発電増量装置。
【請求項７】
前記の変形菱形省力機関は、
２本の屈伸棒が、それぞれの中点が静止状態を起点とした場合、０〜２ｃｍの範囲で同時に往復運動を行なう
ことを特徴とする請求項１から請求項６のいずれか一項に記載の還元式発電増量装置。
【請求項８】
変形菱形省力機関の上底棒または下底棒には、
隣接する変形菱形省力機関と連結棒を介して接続する作用棒が取り付けられている
ことを特徴とする請求項１から請求項７のいずれか一項に記載の還元式発電増量装置。
【請求項９】
連結棒は中点で軸支され、連結棒の両端部から作用棒によって２つの変形菱形省力機関が接続されている
ことを特徴とする請求項１から請求項８のいずれか一項に記載の還元式発電増量装置。
【請求項１０】
連結棒によって連結された複数の変形菱形省力機関が
複数段からなる
ことを特徴とする請求項１から請求項９のいずれか一項に記載の還元式発電増量装置。
【請求項１１】
前記の変形菱形省力機関を用いて発電する
ことを特徴とする請求項１から請求項１０のいずれか一項に記載の還元式発電増量方法。
【発明の詳細な説明】
【技術分野】
【０００１】
本発明は、発電量を増大させるための装置若しくは方法に関するものである。
【背景技術】
【０００２】
これまで、例えば、特許文献１の「電気量増殖増大装置・分銅ローラー連続下り坂発電システム」のように、少ない電気エネルギーから装置を稼動させて機械的エネルギーを増大させ、これを電気エネルギーに変換し、より大きな発電量を得るための装置若しくは方法は、既に開示されている。
しかし、本発明の変形菱形省力機関のような構造を用いて発電量を増大させる装置若しくは方法は実現されていない。
【先行技術文献】
【特許文献】
【０００３】
【特許文献１】特開２００８−１５７２１２号公報
【発明の概要】
【発明が解決しようとする課題】
【０００４】
そこで、本発明は、回転を目的とした構造物において動力源をエネルギーの消費を抑えつつ、大幅に増した電力を得ることを目的とし、初期に設定する発電機に動力源となるバッテリーの大小、本省力機関の数の組み合わせで増大した動力を供給することを課題とするものである。
【課題を解決するための手段】
【０００５】
本発明は、パンタグラフ様の菱形を変形した形状をなした変形菱形省力機関の屈伸運動を利用して、複数連結した変形菱形省力機関から機械的エネルギーを得て、動力源として使用するバッテリーの使用電力量以上の電力を発生させることを主な特徴とする。
【発明の効果】
【０００６】
本発明では以下の効果を奏する。
【０００７】
１）変形菱形省力機関を用いて、少量の電力により、その数倍の電力を創出することができる。
【０００８】
２）変形菱形省力機関を用いて増大させた発電量の一部を、初期の動力源に還元して連続発電を行うことができる。
【０００９】
３）変形菱形省力機関の活用により得た電力を、家庭、船舶、農業など幅広い分野に用いることができる。
【発明を実施するための最良の形態】
【００１０】
本発明に係る還元式発電増量装置は、連結棒によって連結された複数の変形菱形省力機関と、変形菱形省力機関に内絞り運動をさせる位置調整盤と、位置調整盤を可動させるバッテリー及び回転モーターと、変形菱形省力機関の内絞り運動による機械エネルギーから電力を発生させる発電モーターと、変形菱形省力機関の内絞り運動による機械エネルギーを発電モーターに伝達する回転盤と、発電モーターによる発生電力を利用対象に供給する使用電力線と、発電モーターによる発生電力の一部をバッテリーに供給する還元電力線と、から構成される。
【００１１】
なお、使用電力線は、利用対象に発生電力を供給するに過ぎないものであるから、動力源として使用するバッテリーの使用電力量以上の電力を発生させる目的からすれば、必須の構成要件となるものではない。
【００１２】
変形菱形省力機関は、直線状の２本の棒（上底棒、下底棒）と中点にて屈伸可能に動く２本の屈曲した棒（屈伸棒）とからなる。
そして、上底棒及び下底棒の左右の端部を屈伸棒によって菱形様に連結してある（図２）。
【００１３】
ちなみに、直線状の２本の棒（上底棒、下底棒）を除いて、単に菱形形状にした状態のものが図１に表されたものである。
実際の変形菱形省力機関は、図２に表されたものであるが、屈伸棒を詳細に説明するにあたり、図１が分かり易いため、敢えて図１によって説明する。
【００１４】
この図１から明らかなとおり、２本の屈伸棒は、中点から端部までの距離（斜辺）を１０ｃｍとし、また、中点から上下の端部を結んだ直線までの距離を５．５ｃｍとし、さらに、上下の各端部の距離は１７ｃｍ（８．５ｃｍ×２）としてある。
この各距離は、１０のｎ乗の場合にのみ有効に作用する。
【００１５】
なお、図１に示された１０ｃｍの直線と、８．５ｃｍの直線とによって作られる角度は、３２度である。
底棒及び下底棒の長さは、３〜５ｃｍである。
【００１６】
この変形菱形省力機関を複数連結した構造による装置が、本発明に係る還元式発電増量装置である（図５）。
【００１７】
変形菱形省力機関は、連結棒によって複数連結する。
連結棒は中点を軸支され、両端が作用棒によって変形菱形省力機関と接続している。
作用棒は、１本の場合だけでなく２本以上であっても良い。
【００１８】
変形菱形省力機関は、連結棒を介して、てこの原理によって同じ距離の運動を行なう。
変形菱形省力機関は、バッテリーからの電力を使用して回転モーターによって回転運動を行なう円盤状の位置調整盤からの作用により往復運動を行なう。
【００１９】
すなわち、中心から円周までの距離が一定でない位置調整盤が回転することで、一回転する間に、変形菱形省力機関に接続する中心棒に上下運動を行なわせ、内絞り作用棒を介して変形菱形省力機関の屈伸棒に０〜２ｃｍの内側への往復運動（内絞り運動）を行なわせる。
【００２０】
この０〜２ｃｍの往復運動は、作用棒に対しても全く同じ距離（０〜２ｃｍ）の上下運動を行なわせることができる。
但し、２ｃｍを超えて屈伸棒を内側に移動させた場合、作用棒の移動距離は、屈伸棒の移動距離と全く同じにならないため、内絞り最大有効距離を２センチと定めた。
【００２１】
この０〜２ｃｍの上下運動を行なう作用棒は、てこの原理を使って連結棒の反対側の端部に接続する作用棒に同様に０〜２ｃｍの上下運動を行なわせ、隣接する変形菱形省力機関の屈伸棒に、０〜２ｃｍの内側への往復運動（内絞り運動）を行なわせる。
なお、隣接する変形菱形省力機関は、上下対称となっている。
【００２２】
連結棒によって連結された複数の変形菱形省力機関は、多段的に複数段構成することができる（図６）。
【００２３】
本発明に係る還元式発電増量装置は、最初に、バッテリーからの電気で回転モーターを作動させ、これに装着した位置調整盤の回転運動によって変形菱形省力機関に接続した中心棒を動かし、変形菱形省力機関の屈伸棒に、０〜２ｃｍの内側への往復運動（内絞り運動）を行なわせる。
【００２４】
本発明に係る還元式発電増量装置によれば、最初の変形菱形省力機関に掛かる負荷が３ｋｇの場合、隣接する第２の変形菱形省力機関に掛かる負荷は１．５９ｋｇとなり、さらに隣接する第３の変形菱形省力機関に掛かる負荷は０.５３ｋｇとなり、第４の変形菱形省力機関に掛かる負荷は０.２８ｋｇとなる。
このように変形菱形省力機関を増やす毎に、省力が増していく。
【００２５】
これにより、大きな機械的エネルギーを得て、動力源として使用するバッテリーの使用電力量以上の電力を発生させることで、バッテリーに電力を還元供給して持続的に稼動することができる。
なお、動力源がバッテリー以外の場合は、還元する必要はない。
【図面の簡単な説明】
【００２６】
【図１】上底棒及び下底棒を除いた状態の菱形省力機関を示す図である。
【図２】変形菱形省力機関を示す概略図である。
【図３】変形菱形省力機関に作用棒が取り付けられた状態を示す概略図である。
【図４】変形菱形省力機関に、位置調整盤からの上下運動を伝える中心棒と、中心棒から変形菱形省力機関に往復運動（内絞り運動）をさせる作用棒が取り付けられた状態を示す概略図である。
【図５】複数の変形菱形省力機関が連続して作動する状態を示す概略図である。
【図６】変形菱形省力機関が多段的に構成された還元式発電増量装置を示す概略図である。
【図７】図６の１乃至４の回転盤に接続された回転用棒の状態を示す概略図である。
【図１】
2011236807.tif 000003
【図２】
2011236807.tif 000004
【図３】
2011236807.tif 000005
【図４】
2011236807.tif 000006
【図５】
2011236807.tif 000007
【図６】
2011236807.tif 000008
【図７】
2011236807.tif 000009